(57)【要約】【課題】カセット本体38の機械的強度を向上させると共に、ホッパ16にカセット本体の底面46を閉塞する底蓋としての機能を持たせることによって部品点数を削減することができ、以って製造コスト及び製品コストの削減とを図ることのできる給送用カセットを提供する。【解決手段】上面40、前端面39、後端面43、左側面44及び右側面45が一体成形により形成され、底面46は開放され、多数枚の被記録媒体Pを収容し得るカセット本体38と、前記底面を成す構成部材として前記カセット本体に設けられて当該カセット本体内に収容される被記録媒体を支えると共に、後端を揺動支点にして揺動可能で、前記揺動により前記被記録媒体を下から押し上げるホッパ16と、前記カセット本体の前端面側の前記上面に設けられた開口部41とを備えた給送用カセット。【選択図】図４
2008087932.tif 000002
【特許請求の範囲】
【請求項１】
上面、前端面、後端面、左側面及び右側面が一体成形により形成され、底面は開放され、多数枚の被記録媒体を収容し得るカセット本体と、
前記底面を成す構成部材として前記カセット本体に設けられて当該カセット本体内に収容される被記録媒体を支えると共に、後端を揺動支点にして揺動可能で、前記揺動により前記被記録媒体を下から押し上げるホッパと、
前記カセット本体の前端面側の前記上面に設けられた開口部と、を備えた給送用カセット。
【請求項２】
請求項１に記載の給送用カセットにおいて、前記開口部には前後方向にスライドして前記開口部を開閉可能なシャッタが設けられていることを特徴とする給送用カセット。
【請求項３】
請求項１又は２に記載の給送用カセットおいて、前記ホッパはカセット本体の開放された底面と平行な待機姿勢と、前記開口部側に押し上げられた給送姿勢との間で揺動すると共に、カセット本体とホッパとの間に適用され前記待機姿勢を保つための係止構造の係止状態を解除することによって、前記開口部と反対側の拡開方向にも揺動し得るように構成されていることを特徴とする給送用カセット。
【請求項４】
請求項３に記載の給送用カセットにおいて、前記係止構造はカセット本体とホッパの双方、あるいはこれらのいずれか一方に設けられている係止爪によって構成されていることを特徴とする給送用カセット。
【請求項５】
多数枚の被記録媒体を収容した給送用カセットが装着可能な記録装置であって、
前記給送用カセットは請求項１〜４のいずれか１項に記載した給送用カセットであり、
該給送用カセットが装着された状態で、前記開口部に臨むように配設された給送用ローラと、前記ホッパを押し上げる押上げ部材とを備え、
前記給送用ローラと前記ホッパとの協働により被記録媒体を給送可能に構成されていることを特徴とする記録装置。
【請求項６】
多数枚の被液体噴射媒体を収容した給送用カセットが装着可能な液体噴射装置であって、
前記給送用カセットは、上面、前端面、後端面、左側面及び右側面が一体成形により形成され、底面は開放され、多数枚の被液体噴射媒体を収容し得るカセット本体と、前記底面を成す構成部材として前記カセット本体に設けられて当該カセット本体内に収容される被液体噴射媒体を支えると共に、後端を揺動支点にして揺動可能で、前記揺動により前記被液体噴射媒体を下から押し上げるホッパと、前記カセット本体の前端面側の前記上面に設けられた開口部とを備え、
該給送用カセットが装着された状態で、前記開口部に臨むように配設された給送用ローラと、前記ホッパを押し上げる押上げ部材とを備え、
前記給送用ローラと前記ホッパとの協働により被液体噴射媒体を給送可能に構成されていることを特徴とする液体噴射装置。
【発明の詳細な説明】
【技術分野】
【０００１】
本発明は、記録装置に装着されて使用される、多数枚の被記録媒体を収容し得る給送用カセット及び該給送用カセットが装着可能な記録装置に関する。
【０００２】
更に本発明は、インク等の液体をそのヘッドから吐出すなわち噴射して被記録媒体すなわち被液体噴射媒体に液体を付着するインクジェット式記録装置などの液体噴射装置及び該液体噴射装置に装着可能な給送用カセットに関するものである。
【０００３】
ここで液体噴射装置とは、インクジェット式記録ヘッドが用いられ、該記録ヘッドからインクを吐出して被記録媒体に記録を行うプリンタ、プロッタ、複写機及びファクシミリ等の記録装置に限らず、インクに代えてその用途に対応する液体を前記記録ヘッドに相当する液体噴射ヘッドから被記録媒体に相当する被液体噴射媒体に噴射して、前記液体を前記被液体噴射媒体に付着させる装置を含む意味で用いる。
【０００４】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００５】
従来の給送用カセットは、下記の特許文献１に示すように、底面と前端面、後端面及び左右の側面とが閉塞され上面が開放された構造のカセット本体と、当該カセット本体の開放された上面を塞ぐように設けられる上蓋とを備えている。また、上記カセット本体の底面には比較的口径の大きな開口部が設けられており、該開口部内に下方からホッパの一部が進入することによって上記カセット本体内に収容された被記録媒体を給送用ローラに向けて押し上げて給送できるようになっている。
【０００６】
しかし、このような構成の給送用カセットは、カセット本体の上面のすべてと、底面の一部が大きく開口していることがら機械的強度が弱く、カセット本体の変形や破損の虞があった。特に、被記録媒体の収容枚数を、例えばハガキで２０枚であったものを５０枚に増やすとその機械的強度の確保が重要となる。また、このような給送用カセットは、構造が複雑で、部品点数が多くなることがら、製造コスト及び製品コストの上昇を招き、装置の小型や軽量化を困難にする問題があった。
【特許文献１】特開昭６１−８６３３１号公報
【発明の開示】
【発明が解決しようとする課題】
【０００７】
本発明の目的は、カセット本体の機械的強度を向上させると共に、ホッパにカセット本体の底面を閉塞する底蓋としての機能を持たせることによって部品点数を削減することができ、以って製造コスト及び製品コストの削減とを図ることのできる給送用カセット及び該給送用カセットが装着可能な記録装置、液体噴射装置を提供することにある。
【課題を解決するための手段】
【０００８】
上記課題を解決するために本発明の第１の態様に係る給送用カセットは、上面、前端面、後端面、左側面及び右側面が一体成形により形成され、底面は開放され、多数枚の被記録媒体を収容し得るカセット本体と、前記底面を成す構成部材として前記カセット本体に設けられて当該カセット本体内に収容される被記録媒体を支えると共に、後端を揺動支点にして揺動可能で、前記揺動により前記被記録媒体を下から押し上げるホッパと、前記カセット本体の前端面側の前記上面に設けられた開口部とを備えたものである。
【０００９】
本発明の第１の態様によれば、従来のカセット本体の構造を根本から見直して上蓋の存在しない簡単、コンパクトな従来に無い構成のカセット本体を採用することによってカセット本体の機械的強度の向上と、給送用カセットの小型化及び軽量化を図ることができる。また、ホッパにカセット本体の底面を閉塞する下蓋としての機能を持たせることによって部品の有効利用を図ることができ、部品点数の削減と、製造コストおよび製品コストの削減にも寄与し得る。  
特に、被記録媒体の収容枚数を増やして（例えばハガキで２０枚であったものを５０枚に増やす）負荷が増しても、その負荷増に対応した機械的強度の確保を容易に実現することができる。また特に、ホッパがカセット本体の底面の全面を成しているため、ホッパの揺動に際して該ホッパ上に載置されて収納されている被記録媒体の姿勢は変わらず、もって安定給送に寄与することができる。
【００１０】
本発明の第２の態様に係る給送用カセットは、前記第１の態様において、前記開口部には前後方向にスライドして前記開口部を開閉可能なシャッタが設けられていることを特徴とするものである。  
本発明の第２の態様によれば、給装用カセットが記録装置に装着されていない状態では、シャッタを閉じて開口部をカバーしておけるので内部に異物が侵入する虞を低減することができる。
【００１１】
本発明の第３の態様に係る給送用カセットは、前記第１の態様又は第２の態様において、前記ホッパはカセット本体の開放された底面と平行な待機姿勢と、前記開口部側に押し上げられた給送姿勢との間で揺動すると共に、カセット本体とホッパとの間に適用され前記待機姿勢を保つための係止構造の係止状態を解除することによって、前記開口部と反対側の拡開方向にも揺動し得るように構成されていることを特徴とするものである。
【００１２】
本発明の第３の態様によれば、被記録媒体の給送時には係止構造が係止状態に保たれることによってカセット本体からの被記録媒体の落下を防止して円滑な被記録媒体の給送を可能にする。一方、被記録媒体の補給時には係止構造の係止状態を解除することによってホッパを下方に拡開し、開放されたカセット本体の底面から被記録媒体を補給することが可能になる。
【００１３】
本発明の第４の態様に係る給送用カセットは、前記第３の態様において、前記係止構造はカセット本体とホッパの双方、あるいはこれらのいずれか一方に設けられている係止爪によって構成されていることを特徴とするものである。  
本発明の第４の態様によれば、比較的簡単な構成によって係止構造を構成することができ、給送用カセットの小型、軽量化に寄与し、係止爪の数を増やすことによって被記録媒体の収容枚数の多い比較的大容量の給送用カセットにも対応できるようになる。
【００１４】
本発明の第５の態様に係る記録装置は、多数枚の被記録媒体を収容した給送用カセットが装着可能な記録装置であって、前記給送用カセットは前記第１の態様〜第４の態様のいずれかに記載した給送用カセットであり、該給送用カセットが装着された状態で、前記開口部に臨むように配設された給送用ローラと、前記ホッパを押し上げる押上げ部材とを備え、前記給送用ローラと前記ホッパとの協働により被記録媒体を給送可能に構成されていることを特徴とするものである。
【００１５】
本発明の第５の態様によれば、機械的強度が向上したカセット本体を有する給送用カセットが装着されることによって、記録装置としての被記録媒体の給装の安定性を向上することができる。また、記録装置の小型及び軽量化にも寄与し得るようになる。
【００１６】
本発明の第６の態様に係る液体噴射装置は、多数枚の被液体噴射媒体を収容した給送用カセットが装着可能な液体噴射装置であって、前記給送用カセットは、上面、前端面、後端面、左側面及び右側面が一体成形により形成され、底面は開放され、多数枚の被記録媒体を収容し得るカセット本体と、前記底面を成す構成部材として前記カセット本体に設けられて当該カセット本体内に収容される被液体噴射媒体を支えると共に、後端を揺動支点にして揺動可能で、前記揺動により前記被液体噴射媒体を下から押し上げるホッパと、前記カセット本体の前端面側の前記上面に設けられた開口部とを備え、該給送用カセットが装着された状態で、前記開口部に臨むように配設された給送用ローラと、前記ホッパを押し上げる押上げ部材とを備え、前記給送用ローラと前記ホッパとの協働により被液体噴射媒体を給送可能に構成されていることを特徴とするものである。
【発明を実施するための最良の形態】
【００１７】
以下、本願発明に係る給送用カセット及び該給送用カセットが装着可能な液体噴射装置の一例である記録装置について説明する。最初に本願発明の液体噴射装置、そしてその一例である記録装置を実施するための最良の形態としてインクジェットプリンタ１００を採り上げて、その全体構成の概略を図面に基づいて説明する。
【００１８】
図１はインクジェットプリンタの外観を示す斜視図である。図示のインクジェットプリンタ１００は、持ち運びが可能な比較的コンパクトなタイプのインクジェットプリンタである。そして、図示のインクジェットプリンタ１００には、ホッパを有する給装装置は設けられておらず、本来、給送装置が設けられる液体噴射装置本体、そして記録装置本体の一例であるプリンタ本体３の後部寄りの上部開口５には、給送用カセット１が前下がり傾斜姿勢で着脱自在に装着できるようになっている。
【００１９】
そして、給送用カセット１内に収容されている被液体噴射材の一例である被記録媒体（以下単に用紙ともいう）Ｐは、ホッパ１６（図３）の押し上げ動作によって上方に押し上げられ、そのカセット本体３８の前端面側の前記上面に設けられた開口部４１（図８）に臨んで位置する給送用ローラ１４との協働すなわち挟圧送り作用によって最上位の用紙Ｐから順次引き出されて給送されるようになっている。尚、給送用カセット１の具体的構成については後述する。
【００２０】
給送用ローラ１４の下流には、上下の搬送用従動ローラと搬送用駆動ローラの対によって構成されている図示しない公知の搬送用ローラが設けられており、該搬送用ローラによって搬送された用紙Ｐは、用紙搬送方向（副走査方向でもある）下流に位置する記録ポジションに導かれる。そして、記録ポジションの上方には用紙Ｐに液体の一例であるインクを吐出して直接記録を実行する液体噴射ヘッドの一例である図示しない記録ヘッドが位置している。一方、記録ポジションの下方には用紙Ｐの下面を支えている図示しないプラテンが設けられており、該プラテンは記録品質に重要に関係する被記録媒体と記録ヘッド間のギャップを規定する役割を担っている。
【００２１】
記録ヘッドは、上記副走査方向と直交する主走査方向に往復動する図示しないキャリッジの下面に搭載されており、該キャリッジは主走査方向に架け渡された図示しないキャリッジガイド軸によって案内され、同じく主走査方向に張設された図示しない無端ベルトからの駆動力を受けて往復動し得るように構成されている。また、記録ポジションの用紙搬送方向の下流には、上下の排出用従動ローラと排出用駆動ローラの対によって構成されている図示しない排出用ローラが設けられている。そして、該排出用ローラによって排出された用紙Ｐは、図示しない被液体噴射媒体受け部の一例である排出用スタッカの載置面上に排出されて積畳されるようになっている。
【００２２】
［実施例］
次に、このようにして構成されるインクジェットプリンタ１００に対して装着される本発明に係る給送用カセット１について図面に基づいて具体的に説明する。  
図２は給送用カセットを装着しつつある状態の自動給送ユニットを示す斜め前方からの斜視図、図３は同自動給送ユニットの斜め後方からの斜視図である。図４はシャッタ拡開時の給送用カセットを示す斜め前方からの斜視図、図５はシャッタ閉鎖時の給送用カセットを示す斜め前方からの斜視図である。図６はホッパ上昇時の給送用カセットを示す側断面図、図７はホッパ下降時の給送用カセットを示す側断面図である。図８はカセット本体を示す斜め上方からの斜視図、図９は同カセット本体の斜め下方からの斜視図である。図１０はシャッタを示す表面側の斜視図、図１１は同シャッタの裏面側の斜視図である。図１２はホッパを示す表面側の斜視図、図１３は同ホッパの裏面側の斜視図である。また図１４は係止構造周辺を拡大して示すカセット本体及びホッパの裏面側の斜視図である。
【００２３】
本実施例の給送用カセット１は、図２に示すように記録装置の自動給送ユニット２に対して装着されることによって使用される。自動給送ユニット２は、プリンタ本体３の後部寄りの内部に設けられており、ホッパ１６との挟圧送り作用によって用紙Ｐを給送する給送用ローラ１４と、該給送用ローラ１４と一体に回転する回転軸１８と、該回転軸１８に回転力を伝達する駆動手段であるモータ３１と、駆動伝達手段である歯車列３２と、これら諸部材を保持すると共に給送された用紙Ｐを用紙搬送経路に案内するユニットホルダ３３とを備えている。
【００２４】
また、上記回転軸１８の回転は、歯車列３２を介してホッパ作動軸３４の一端に取り付けられているホッパ作動カム３５と、戻しレバー７の回転軸９に伝達されるようになっている。従って、給送用ローラ１４の回転と連動して所定のタイミングでホッパ１６が前記ホッパカム３５の作用によって上下動し、また所定のタイミングで戻しレバー７が作動して重送されてきた後続の用紙Ｐを給送用カセット装置側に戻すように構成されている。この他、ユニットホルダ３３には、重送されてきた用紙Ｐを記録の実行に使用する最上位の用紙Ｐと後続の用紙Ｐとに分離する図示しない分離手段と、上記ホッパ１６を給送用ローラ１４側に常時付勢している図示しない圧縮コイルバネと、上記戻しレバー７の回転軸９を給送用ローラ１４側に付勢している捩りコイルバネ３６とが設けられている。
【００２５】
このような自動給送ユニット２のユニットホルダ３３における後部上方には、断面形状が略凹字形をしたカセットガイド３７が斜め後方に向けて立ち上げられており、該カセットガイド３７の内壁面に案内されて本発明の給送用カセット１が装着され、カセットガイド３７によって前下がり傾斜姿勢で保持されるようになっている。
【００２６】
本実施例の給送用カセット１は、上面４０、前端面３９、後端面４３、左側面４４及び右側面４５が一体成形により形成され、底面４６は開放され、多数枚の用紙Ｐを収容し得るカセット本体３８と、前記底面４６を成す構成部材として前記カセット本体３８に設けられて当該カセット本体３８内に収容される用紙Ｐを支えると共に、後端を揺動支点（揺動軸５０、５１）にして揺動可能で、前記揺動により前記用紙Ｐを下から押し上げるホッパ１６と、前記カセット本体３８の前端面３９側の前記上面４０に設けられた開口部４１とを備えている。該開口部４１には給送用ローラ１４が望むように配設されているので、ホッパ１６は当該給送用ローラ１４に向けて押し上げられることになる。前記カセット本体３８の開口部４１にはシャッタ４２が前後方向にスライドして開閉可能に取り付けられている。  
本実施例の給送用カセット１は、一例としてハガキの場合で５０枚程度の用紙Ｐを積畳された状態で収容し得る収容容量のものである。
【００２７】
そして、カセット本体３８の左右の側面４４、４５における後端面４３寄りの左右のコーナー部付近には揺動穴４７、４８（図８、図９）が形成されており、これらの揺動穴４７、４８にホッパ１６の揺動基端部４９（図３、図７）の左右両端部において突出状態で設けられている揺動軸５０、５１（図４、図６）が係合するようになっている。また、カセット本体３８の左右の側面４４、４５における前端面３９寄りの下方の位置には弾性舌片５２、５３（図９）が設けられており、これらの弾性舌片５２、５３の先端部には外方に突出するように係合突起５４、５５が設けられている。  
尚、これらの係合突起５４、５５は、前述した自動給送ユニット２におけるユニットホルダ３３のカセットガイド３７の内壁面に形成されている図示しない係合凹部に係合するように構成されている。
【００２８】
また、上記弾性舌片５２、５３の上部外方には係合ピン５６、５７（図４、図８）が外方に突出するように設けられている。そして、これらの係合ピン５６、５７は、後述するシャッタ４２の左右の側板５８、５９に形成されている途中で折れ曲がった長穴形状の係合溝６０、６１に係合するようになっている。また、上記係合ピン５６、５７が設けられているカセット本体３８の左右の側面４４、４５の内壁面には前上がり傾斜姿勢でガイド片６２、６３（図８、図９）が設けられている。ガイド片６２、６３は、先端に円柱を横に倒した形状の案内頭部６４を備えたアーム状の弾性片によって構成されており、後述するシャッタ４２の覆板６５の左右の両端部において斜め下方に張り出すように設けられている弾性作用片６６、６７（図６、図１０、図１１）と協働して、シャッタ４２を閉鎖方向Ａに付勢する付勢手段となっている。
【００２９】
この他、カセット本体３８の左右の側面４４、４５の外表面の中間部には長手方向に沿ったガイドリブ６９（図４）が設けられており、カセット本体３８の上面４０における左右の側面４４、４５寄りの中間付近の位置には角穴状の窓部７０、７１（図４）が設けられている。尚、ガイドリブ６９は、自動給送ユニット２におけるユニットホルダ３３のカセットガイド３７の内側面に摺接し、給送用カセット装置１の着脱を円滑に行えるように作用する部材であり、上記窓部７０、７１はカセット本体３８内の用紙Ｐの有無や残量を確認するための視認窓となっている。
【００３０】
ホッパ１６は、図７と図１２に示すように、上記カセット本体３８の開放された底面４６を塞ぐ、矩形平板状のホッパ本体７２と、該ホッパ本体７２の揺動基端部４９に設けられている上記揺動軸５０、５１とを備えることによって構成されている。そして、該ホッパ１６は、カセット本体３８に対して上記揺動軸５０、５１を揺動支点として、揺動可能に接続されている。また、ホッパ１６は、通常はカセット本体３８の開放された底面４６と平行な図７に示す待機姿勢と、給送用ローラ１４側に押し上げられた図６に示す給送姿勢との間で揺動できるように構成されている。
【００３１】
更に本実施例では、図９、図１２乃至図１４に示すように、カセット本体３８とホッパ１６との間には、ホッパ１６をカセット本体３８に係止するための係止構造７３が設けられている。そして、該係止構造７３の係止状態を解除することによってホッパ１６は給送用ローラ１４と反対側の拡開方向にも揺動し得るようになっており、ホッパ１６を下方に拡開させることによって現れるカセット本体３８の開放された底面４６側から用紙Ｐが補給される。
【００３２】
尚、本実施例では、カセット本体３８の前端面３９の下縁の中央と、左右の側面４４、４５の下縁の中央に３個の係止爪７９が設けられており、ホッパ本体７２の左右の側面の中央に２個の係止爪８０が設けられていて、これらの係止爪７９、８０によって係止構造７３は構成されている。
【００３３】
また、ホッパ本体７２の揺動自由端７４側の中央部には角穴状の開口７５が設けられている。該開口７５には、ホッパ作動軸３４の中間部に取り付けられている作動アーム７６先端の図示しない押上げ部材の一部が嵌合するようになっている。該押上部材によってホッパ１６が開口部４１すなわち給送用ローラ１４に向かって押し上げられるようになっている。
【００３４】
シャッタ４２は、図６、図１０および図１１に示したように、左側板５８、右側板５９及び覆板６５によって構成される門型の断面形状を有する部材である。シャッタ４２は、前記カセット本体３８側のガイド片６２、６３と、当該シャッタ４２側の弾性作用片６６、６７とが互いに当接することによって生ずる付勢力を受けて、常時は図５、図７に示すように、カセット本体３８の開口部４１を閉鎖する閉鎖方向Ａの端部に位置している。そして、給送用カセット１が記録装置の自動給送ユニット２における前記カセットガイド３７の内側面に装着される際に、シャッタ４２の一部が係止して前記付勢力に抗して開口部４１を拡開する拡開方向Ｂに移動する。すなわち、シャッタ４２は係合溝６０、６１によって係合ピン５６、５７が案内されることによって、幾分上昇しながら図４、図６に示す拡開方向Ｂの端部に向けて移動する。
【００３５】
尚、本実施例では、覆板６５の前端縁の中央には矩形状に切り欠かれた切欠き部７８が設けられている。そして、この切欠き部７８内に給送用ローラ１４が進入することでホッパ１６によって先端が押し上げられた用紙Ｐの最上面に給送用ローラ１４が当接できるようになっている。
【００３６】
次に、このようにして構成される本発明に係る給送用カセット１の作動態様を、（１）通常動作時と、（２）用紙補給時に分けて説明する。
【００３７】
（１）通常動作時（図６、図７参照）
給送用カセット１がプリンタ本体３の上部開口５から自動給送ユニット２に装着された状態では、ホッパ１６は、図７に示す待機姿勢と、図６に示す給送姿勢との間で揺動できるようになっている。従って、順次用紙Ｐの給送が可能になっており、カセット本体３８内の用紙Ｐは最上位の用紙Ｐから順番に給送されるようになっている。また、カセット本体３８内に収容された用紙Ｐの有無や残量を知りたい場合には、窓部７０、７１からカセット本体３８内を視認することによって確認する。
【００３８】
（２）用紙補給時（図９、図１２、図１３、図１４参照）
窓部７０、７１を視認することによってカセット本体３８内の用紙Ｐが少なくなったことが確認された場合、あるいは別の種類の用紙Ｐに交換する場合には、プリンタ本体３から給送用カセット１を上方に引き抜いて外し、ホッパ１６に対する係止構造７３の係止状態を解除する。この場合にはカセット本体３８とホッパ本体７２を幾分撓ませることによってすべての係止爪７９、８０の係止状態を解除する。係止構造７３の係止状態が解除されると、ホッパ１６は揺動軸５０、５１を中心にして拡開方向に揺動できるようになる。そして、カセット本体３８の上面４０が下になるように給送用カセット１を裏返し、ホッパ１６を拡開して開放されたカセット本体３８の底面４６（この場合は上面に位置している）から、用紙Ｐを補給する。また、用紙Ｐの補給完了後は再びホッパ１６をカセット本体３８の底面４６を閉鎖する方向に揺動させて係止構造７３を係止状態とする。
【００３９】
上記実施例によれば、従来のカセット本体の構造を根本から見直して上蓋の存在しない簡単、コンパクトな従来に無い構成のカセット本体３８を採用することによってカセット本体３８の機械的強度の向上と、給送用カセット１の小型化及び軽量化を図ることができる。また、ホッパ１６にカセット本体３８の底面４６を閉塞する下蓋としての機能を持たせることによって部品の有効利用を図ることができ、部品点数の削減と、製造コストおよび製品コストの削減にも寄与することができる。特に、被記録媒体の収容枚数を増やして（例えばハガキで２０枚であったものを５０枚に増やす）負荷が増しても、その負荷増に対応した機械的強度の確保を容易に実現することができる。また特に、ホッパ１６がカセット本体３８の底面４６の全面を成しているため、ホッパ１６の揺動に際して該ホッパ１６上に載置されて収納されている用紙Ｐの姿勢は変わらず、もって安定給送に寄与することができる。
【００４０】
［他の実施例］
本願発明に係る給送用カセット１及び該給送用カセット１を備えた記録装置１００等は、以上述べたような構成を基本とするものであるが、本願発明の要旨を逸脱しない範囲内の部分的構成の変更や省略等を行なうことも勿論可能である。例えば、用紙Ｐの補給を考慮しなくてもよい場合には、ホッパ１６の揺動範囲を待機姿勢と給送姿勢との範囲に限定することが可能である。また係止爪７９、８０はカセット本体３８とホッパ１６の双方に設ける他、これらのいずれか一方に設けることも可能であり、係止爪７９、８０の数も適宜増減することが可能である。
【図面の簡単な説明】
【００４１】
【図１】インクジェットプリンタの外観を示す斜視図。
【図２】給送用カセットを装着した自動給送ユニットを示す斜視図。
【図３】同自動給送ユニットの斜め後方からの斜視図。
【図４】シャッタ板拡開時の給送用カセットを示す斜視図。
【図５】シャッタ板閉鎖時の給送用カセットを示す斜視図。
【図６】ホッパ上昇時の給送用カセットを示す側断面図。
【図７】ホッパ下降時の給送用カセットを示す側断面図。
【図８】カセット本体を示す斜め上方からの斜視図。
【図９】同カセット本体の斜め下方からの斜視図。
【図１０】シャッタを示す表面側の斜視図。
【図１１】同シャッタの裏面側の斜視図。
【図１２】ホッパを示す表面側の斜視図。
【図１３】同ホッパの裏面側の斜視図。
【図１４】係止構造周辺を拡大して示す斜視図。
【符号の説明】
【００４２】
１  給送用カセット、２  自動給送ユニット、３  プリンタ本体（記録装置本体）、５  上部開口、７  戻しレバー、９  回転軸、１４  給送用ローラ、１６  ホッパ、１８  回転軸、３１  モータ、３２  歯車列、３３  ユニットホルダ、３４  ホッパ作動軸、３５  ホッパ作動カム、３６  捩りコイルバネ、３７  カセットガイド、３８  カセット本体、３９  前端面、４０  上面、４１  開口部、４２  シャッタ、４３  後端面、４４  左側面、４５  右側面、４６  底面、４７  揺動穴、４８  揺動穴、４９  揺動基端部、５０  揺動軸、５１  揺動軸、５２  弾性舌片、５３  弾性舌片、５４  係合突起、５５  係合突起、５６  係合ピン、５７  係合ピン、５８  左側板、５９  右側板、６０  係合溝、６１  係合溝、６２  ガイド片、６３  ガイド片、６４  案内頭部、６５  覆板、６６  弾性作用片、６７  弾性作用片、６９  ガイドリブ、７０  窓部、７１  窓部、７２  ホッパ本体、７３  係止構造、７４  揺動自由端、７５  開口、７６  作動アーム、７８  切欠き部、７９  係止爪、８０  係止爪、１００  インクジェットプリンタ（記録装置）、Ｐ  用紙（被記録媒体）、Ａ  閉鎖方向、Ｂ  拡開方向
【図１】
2008087932.tif 000003
【図２】
2008087932.tif 000004
【図３】
2008087932.tif 000005
【図４】
2008087932.tif 000006
【図５】
2008087932.tif 000007
【図６】
2008087932.tif 000008
【図７】
2008087932.tif 000009
【図８】
2008087932.tif 000010
【図９】
2008087932.tif 000011
【図１０】
2008087932.tif 000012
【図１１】
2008087932.tif 000013
【図１２】
2008087932.tif 000014
【図１３】
2008087932.tif 000015
【図１４】
2008087932.tif 000016